(57)【要約】【課題】  横幕を取り付けることができるように構成されたテント用支柱支持具を提供する。さらに、横幕のシルエットを限りなく水平に保つことができるように構成されたテント用支柱支持具を提供する。【解決手段】  支柱支持具１００は、テントのような構造物の支柱の外周側面の一部を案内しかつ重りとなるためのウエイト部材を構成する第１ウエイト部１０２および第２ウエイト部１１２と、第１ウエイト部１０２と第２ウエイト部１１２とを連結する連結部１２２とを備える。第１ウエイト部１０２は第１収容部１０４を含む。第２ウエイト部１１２は第２収容部１１４を含む。連結部１２２は、変形可能な材料で構成されることが必要である。連結部１２２を変形可能な材料で構成することにより、連結部１２２の一部分が支柱の外周部の一部分にそうようにして、支柱支持具１００を支柱の外周部に取り付けることができる。【選択図】      図１
2005180024.tif 000002
【特許請求の範囲】
【請求項１】
構造物の支柱を支持するための支柱支持具であって、
支柱の外周側面の一部を案内しかつ重りとなるためのウエイト部材を構成する第１ウエイト部（１０２）および第２ウエイト部（１１２）と、前記第１ウエイト部（１０２）と前記第２ウエイト部（１１２）とを連結する連結部（１２２）とを備え、
前記第１ウエイト部（１０２）は、流動物を収容するために袋状に形成された第１収容部（１０４）を含み、前記第２ウエイト部（１１２）は、流動物を収容するために袋状に形成された第２収容部（１１４）を含むように構成され、
前記連結部（１２２）は、変形可能な材料で構成される、
ことを特徴とする支柱支持具。
【請求項２】
前記連結部（１２２）を前記支柱に対して保持するための保持部材（１３２、１３４）が前記連結部（１２）に固定されるようになっていることを特徴とする請求項１に記載の支柱支持具。
【請求項３】
前記第１ウエイト部（１０２）、前記第２ウエイト部（１１２）、前記連結部（１２２）を前記支柱に対して固定するための固定部材（１４２、１４４）が支柱支持具に固定されることを特徴とする請求項１に記載の支柱支持具。
【請求項４】
前記第１収容部（１０４）及び／又は前記第２収容部（１１４）は、横幕（１７０）の縁部を固定することができる構造を含むように構成されることを特徴とする請求項１に記載の支柱支持具。
【請求項５】
天蓋と、複数の支柱とを含むテントであって、それぞれの支柱（１８４）には、請求項１〜４のいずれか１項に記載されている支柱支持具が取り付けられ、前記支柱支持具を前記支柱（１８４）に固定したときに、前記連結部（１２２）の内面の一部と、流動物を収容した前記第１収容部（１０４）の前記連結部（１２２）に隣接した部分と、流動物を収容した前記第２収容部（１１４）の前記連結部（１２２）に隣接した部分とにより形成された領域に、前記支柱（１８４）を配置することができるようになっており、流動物を収容した前記第１収容部（１０４）の他の部分と、流動物を収容した前記第２収容部（１１４）の他の部分が密着するように構成されていることを特徴とするテント。
【請求項６】
請求項５に記載されているテントであって、前記支柱支持具を前記支柱（１８４）に固定したとき、流動物を収容した前記第１収容部（１０４）および流動物を収容した前記第２収容部（１１４）は、テントの天蓋（１８２）の平面形状の外側に位置することができるようになっていることを特徴とするテント。
【請求項７】
天蓋と、複数の支柱とを含むテントであって、それぞれの支柱（２６０）には、請求項１〜４のいずれか１項に記載されている支柱支持具が取り付けられ、前記支柱支持具を前記支柱（１８４）に固定したとき、流動物を収容した前記第１収容部（１０４）および流動物を収容した前記第２収容部（１１４）の水平断面が、支柱（１８４）を頂部とする頂角が１５０度の二等辺三角形の中に入ることができるようになっていることを特徴とするテント。
【請求項８】
請求項７に記載されているテントであって、前記支柱支持具を前記支柱（２６０）に固定したとき、流動物を収容した前記第１収容部（２０４）および流動物を収容した前記第２収容部（２１４）は、前記天蓋（２５２）を水平面に投影した形状の外側に位置することができるようになっていることを特徴とするテント。
【発明の詳細な説明】
【技術分野】
【０００１】
本発明は、複数の支柱と、支柱に取り付けられた上部構造部材を有する構造物の支柱を支持するための支柱支持具に関する。特に、本発明は、収容部および止め部材を備え、天蓋などの上部構造部材を有するテントの支柱を支持することができる支柱支持具に関する。さらに、本発明は、複数の支柱と、支柱に取り付けられた上部構造部材と、支柱に取り付けられた支柱支持具とを備えるテントに関する。
【背景技術】
【０００２】
従来の支柱安定具は、接合された状態で支柱が上下方向に貫通する貫通孔を形成し、貫通孔を通る面において分割された複数個の分割ブロック体と、各ブロック体に設けられた把手凹部および握り部と、分割ブロック体を分離可能に結合するための接合手段と、分割ブロック体の内部に形成された容器部とを備えている（例えば、特許文献１参照）。
また、従来の簡易ハウスの支柱固定具は、帆布もしくはプラスチックなどから成り、左右上面に注排水口を有し、それぞれ左右に防水性の袋を内蔵した縦２分割型の中空截頭多角錘形の構造を備えている（例えば、特許文献２参照）。
さらに、従来の空気膜構造体の固定用アンカーバッグは、開口部を有しており、液体の注入口又は排出口が少なくとも２個備えられ、空気膜構造体と結合する固定具が少なくとも２個備えられている（例えば、特許文献３参照）。
【０００３】
さらに、従来の屋形テント用ウエイトは、防水性帆布で構成した密閉型の嚢体と、嚢体の外周面に巻き止めしたスレ補強布と、スレ補強布に設けたベルト通し環と、ベルト通し環に通して提手やショルダあるいは縛り付け部材等として用いる連結用バックル付きベルトとを備えている（例えば、特許文献４参照）。
さらに、パイプ用ウエイトは、上面に平板状の型板が設けられ、型板の下面に２条の袋が間隔を設けて配置され、袋の中に砂などが挿入されるように構成されている（例えば、特許文献５参照）。
【０００４】
【特許文献１】特公平８−６５０９号公報（第３〜５頁、第１図〜第４図参照）
【特許文献２】実開昭６３−５４７４４号公報（第１頁、第１図〜第２図参照）
【特許文献３】特開２０００−６４６６８号公報（第２〜３頁参照）
【特許文献４】特開２００２−３５７０２１号公報(第１〜２頁、図１、図９参照)
【特許文献５】実開昭５６−７３３１７号公報(第１〜３頁、第１図〜第３図参照)
【発明の開示】
【発明が解決しようとする課題】
【０００５】
しかしながら、上記特許文献１〜４に開示されている支柱安定具、支柱固定具、固定用アンカーバッグ、ウエイトは、テントの脚（支柱）の全周囲にわたって出っ張る。このため、上記の従来の支柱安定具などでテントの脚（支柱）を保持すると、横幕の下部をテントの脚（支柱）に取り付けることができなくなる。一般に、横幕のひもの取付個所は、必ずといってよいほど、横幕の再上部の角と、横幕の最下部の角とに配置されている。上記の従来の支柱安定具を用いた場合、支柱安定具がテントの脚（支柱）から出っ張る分だけ、テントの２つの脚（支柱）の間における横幕のひもの取付け距離が長くなり、横幕のひもがテントの脚（支柱）又は支柱安定具に届かなくなることがあった。したがって、従来の支柱安定具を用いると、横幕の最下部の角に配置されたひもを用いて、横幕の下部をテントの支柱に取り付けることが困難になる。すなわち、従来の支柱安定具を用いた場合、支柱安定具に接していない支柱の部分に横幕の上方部分を取り付けることができるけれども、支柱安定具に固定していない横幕の下方部分は、自由な状態であり、見た目も見苦しく、風が吹くとひらひらと舞ってしまうという課題があった。さらに、このように横幕の下方部分の取付けが不十分であるときには、雨よけ、風よけ、利用者のプライバシーの保護などの横幕の重要な機能を達成することができなくなるという課題も生じていた。
【０００６】
また、上記特許文献１〜４に開示されている支柱安定具、支柱固定具、固定用アンカーバッグ、ウエイトは、水平断面形状が円形であるので、保管・収納時にデッドスペースを発生させるおそれがある課題がある。
また、上記特許文献５に開示されているパイプ用ウエイトは、地面から垂直に立てられたテントの脚（支柱）を保持することができない課題がある。さらに、上記のパイプ用ウエイトは、保管・収納に大きいスペースを必要とする課題がある。
【０００７】
本発明の目的は、テントの支柱を支持した後、横幕を取り付けることができるように構成されたテント用支柱支持具を提供することにある。
本発明のさらに他の目的は、横幕を取り付けたとき、横幕のシルエットを限りなく水平に保つことができるように構成されたテント用支柱支持具を提供することにある。
本発明のさらに他の目的は、保管・収納スペースを極力無駄にしない形状を有するテント用支柱支持具を提供することにある。
本発明のさらに他の目的は、テントの支柱に対して水平に１８０度向きを変えて設置することによって、テントの内部の有効な使用可能面積を１００％に近づけることが可能になるように構成されたテント用支柱支持具を提供することにある。
本発明のさらに他の目的は、上記の特徴を有する支柱支持具を備えたテントを提供することにある。
【課題を解決するための手段】
【０００８】
本発明は、テントなどの構造物の支柱を支持するための支柱支持具であって、支柱の外周側面の一部を案内しかつ重りとなるためのウエイト部材を構成する第１ウエイト部および第２ウエイト部と、第１ウエイト部と第２ウエイト部とを連結する連結部とを備える。この支柱支持具では、第１ウエイト部が、流動物を収容するために袋状に形成された第１収容部を含み、第２ウエイト部が、流動物を収容するために袋状に形成された第２収容部を含むように構成され、連結部が変形可能な材料で構成されることを特徴とする。この構成により、支柱支持具を積み重ねて保管することができ、保管・収納スペースを有効に活用することができる。この構成により、横幕を取り付けたとき、横幕のシルエットを限りなく水平に保つことができる。また、本発明の支柱支持具を用いた場合、支柱安定具がテントの脚（支柱）から出っ張る量を極めて少なくすることができるので、テントの２つの脚（支柱）の間における横幕のひもの取付け距離が長くなるおそれは小さい。したがって、本発明の支柱支持具を用いると、横幕の下端部付近に配置された固定用のひもを用いて、横幕の下部をたやすくテントの支柱に取り付けることができる。さらに、本発明の支柱支持具では、連結部を支柱に対して保持するための保持部材が連結部に固定されるようになっているのが好ましい。また、本発明の支柱支持具では、第１ウエイト部、第２ウエイト部、連結部を前記支柱に対して固定するための固定部材が支柱支持具に固定されるのが好ましい。また、本発明の支柱支持具では、第１収容部及び／又は第２収容部は、横幕の縁部を固定することができる構造を含むように構成されるのが好ましい。この構成により、本発明の支柱支持具は、それに直接横幕の下方部分を取り付けることができるという効果がある。
【０００９】
さらに、本発明は、天蓋と、複数の支柱とを含むテントであって、それぞれの支柱には、上記のような支柱支持具が取り付けられ、支柱支持具を支柱に固定したときに、連結部の内面の一部と、流動物を収容した第１収容部の連結部に隣接した部分と、流動物を収容した第２収容部の連結部に隣接した部分とにより形成された領域に、支柱を配置することができるようになっており、流動物を収容した第１収容部の他の部分と、流動物を収容した第２収容部の他の部分が密着するように構成されていることを特徴とする。この構成により、テントに横幕を取り付けたとき、横幕のシルエットを水平に近い状態に保つことができる。さらに、本発明のテントでは、支柱支持具を支柱に固定したとき、流動物を収容した第１収容部および流動物を収容した第２収容部は、テントの天蓋の平面形状の外側に位置することができるようになっているのが好ましい。この構成により、テントの支柱に対して水平に１８０度、向きを変えて設置して、テントの内部の有効な使用可能面積を１００％に近づけることが可能になる。さらに、本発明は、天蓋と、複数の支柱とを含むテントであって、それぞれの支柱には、上記の支柱支持具が取り付けられ、支柱支持具を支柱に固定したとき、流動物を収容した第１収容部および流動物を収容した第２収容部の水平断面が、支柱を頂部とする頂角が１５０度の二等辺三角形の中に入ることができるようになっているように構成することもできる。この構成により、テントに横幕を取り付けたとき、横幕のシルエットを水平に近い状態に保つことができる。また、この構成により、支柱支持具がテントの外部に出っ張る量を従来品に比べて少なくすることができる。
【発明の効果】
【００１０】
本発明の支柱支持具を用いることにより、支柱安定具がテントの脚（支柱）から出っ張る量を極めて少なくすることができるので、テントの２つの脚（支柱）の間における横幕のひもの取付け距離が長くなるおそれがない。したがって、本発明の支柱支持具を用いると、横幕の最下部の角に配置されたひもを用いて、横幕の下部をたやすくテントの支柱の下方部分に取り付けることができる。また、本発明の支柱支持具を用いることにより、テントに横幕を取り付けたとき、横幕のシルエットを水平に近い状態に保つことができる。また、本発明の支柱支持具を用いることにより、横幕の下方部分の取付けが確実になり、雨よけ、風よけ、利用者のプライバシーの保護などの横幕の重要な機能を十分に達成することができる。また、本発明のテント用支柱支持具は、保管・収納スペースを極力無駄にしないように構成されている。さらに、本発明のテントは、支柱支持具がテントの外部に出っ張る量を従来品に比べて大幅に少なくすることができる。さらに、本発明のテントは、テントの内部空間の活用効率を最大限高めることができる。
【発明を実施するための最良の形態】
【００１１】
以下に、本発明の実施の形態を図面に基づいて説明する。
（１）第１の実施の形態
最初に、本発明の支柱支持具の第１の実施の形態を説明する。
（１・１）支柱支持具の構造
以下に、本発明の支柱支持具１００の構造を説明する。図１〜図３を参照すると、支柱支持具１００は、天蓋などの上部構造部材（図示せず）を有するテント（図示せず）のような構造物の支柱（図示せず）の外周側面の一部を案内しかつ重りとなるためのウエイト部材を構成する第１ウエイト部１０２および第２ウエイト部１１２と、前記第１ウエイト部１０２と前記第２ウエイト部１１２とを連結する連結部１２２とを備える。通常、テントのような構造物には複数の支柱が設けられる。例えば、平面形状が正方形又は長方形のテントにおいては、４つのコーナ部にそれぞれ支柱が設けられる。典型的なテントの支柱は、その水平断面形状が正方形又は円形である。本発明の支柱支持具は、水平断面形状が正方形である支柱に適用することもできるし、水平断面形状が円形である支柱に適用することもできるし、水平断面形状が他の形状（例えば、六角形、その他の多角形など）である支柱に適用することもできる。
【００１２】
第１ウエイト部１０２は、液体及び／又は固体などの流動物を収容するために袋状に形成された第１収容部１０４と、第１収容部１０４の上端に設けられた第１開口部１０６とを含む。第１収容部１０４の上部は、第１開口部１０６を閉鎖するための第１閉鎖部１０８を構成する。第２ウエイト部１１２は、液体及び／又は固体などの流動物を収容するために袋状に形成された第２収容部１１４と、第２収容部１１４の上端に設けられた第２開口部１１６とを含む。第２収容部１１４の上部は、第２開口部１１６を閉鎖するための第２閉鎖部１１８を構成する。或いは、第１開口部１０６と別個に、排出口（図示せず）を第１ウエイト部１０２に設けることもできる。或いは、第２開口部１１６と別個に、排出口（図示せず）を第２ウエイト部１１２に設けることもできる。第１ウエイト部１０２と第２ウエイト部１１２は、支柱支持具１００の水平方向における中心線１００ＣＬを基準として対称形状に構成されるのが好ましい。第１収容部１０４、第２収容部１１４に収容する流動物１５０の例としては、砂、金属紛、砂利、土砂、土、セメント、粘土などの固体や、水、海水などの液体があげられる（図４参照）。例えば、第１収容部１０４は１〜３０ｋｇの砂を収容するように構成することができる。同様に、第２収容部１１４は１〜３０ｋｇの砂を収容するように構成することができる。第１収容部１０４は５〜１５ｋｇの砂を収容するように構成するのが好ましい。同様に、第２収容部１１４は５〜１５ｋｇの砂を収容するように構成するのが好ましい。
【００１３】
第１ウエイト部１０２、第２ウエイト部１１２、連結部１２２は、ナイロン、麻布、帆布、パラシュート布などの繊維で構成してもよいし、ポリエステルフィルムやビニールなどの合成樹脂のシート材料で構成してもよいし、アルミホイールなどの金属のシート材料で構成してもよい。第１ウエイト部１０２および第２ウエイト部１１２は変形可能な材料で構成されるのが好ましい。第１ウエイト部１０２および第２ウエイト部１１２変形可能な材料で構成することにより、保管中或いは運搬中において、支柱支持具１００を薄く、小さくすることができる。したがって、このような構成により、保管スペースを削減し、運搬コストを削減することができる。連結部１２２は、変形可能な材料で構成されることが必要である。連結部１２２を変形可能な材料で構成することにより、連結部１２２の一部分が支柱の外周部の一部分にそうようにして、支柱支持具１００を支柱の外周部に取り付けることができる。第１ウエイト部１０２、第２ウエイト部１１２は上下方向に縦長形状に形成されるのが好ましい。第１ウエイト部１０２、第２ウエイト部１１２、連結部１２２は、同じ材料を用いて一体となるように形成されるのが好ましい。或いは、第１ウエイト部１０２と、第２ウエイト部１１２は、同じ材料を用いて形成し、連結部１２２は他の材料を用いて形成し、その後、第１ウエイト部１０２と連結部１２２を一体化し、第２ウエイト部１１２と連結部１２２を一体化するように構成してもよい。このような一体化は、縫製加工、接着加工、溶着加工などで実施することができる。
【００１４】
支柱支持具１００の連結部１２２をテントの支柱に対して保持するための第１保持部材１３２、第２保持部材１３４が連結部１２２の内側の面（支柱を支持したときに内側に位置し、支柱に接する部分）に固定される。第１保持部材１３２、第２保持部材１３４は、繊維を編んだ紐で構成することができる。或いは、第１保持部材１３２、第２保持部材１３４は、布バンド又は金属バンドで構成することができる。第１保持部材１３２、第２保持部材１３４を布バンド又は金属バンドで構成する場合、第１保持部材１３２、第２保持部材１３４のそれぞれの一方の端部に面ファスナの雄部材を固定し、第１保持部材１３２、第２保持部材１３４のそれぞれの他方の端部に面ファスナの雌部材を固定することができる。第１保持部材１３２と、第２保持部材１３４は、上下に間隔を隔てて配置されるのが好ましい。第１保持部材１３２と、第２保持部材１３４は、同じ寸法形状に形成されるのが好ましい。保持部材の個数は１個であってもよいし、複数であってもよい。図示するように、保持部材の個数は２個であるのが好ましい。
【００１５】
支柱支持具１００の第１ウエイト部１０２、第２ウエイト部１１２、連結部１２２をテントの支柱に対して固定するための第１固定部材１４２、第２固定部材１４４が支柱支持具１００に固定される。第１固定部材１４２、第２固定部材１４４は、連結部１２２の外側の面（支柱を支持したときに外側に位置する部分）に固定される。或いは、第１固定部材１４２、第２固定部材１４４は、第１ウエイト部１０２及び／又は第２ウエイト部１１２及び／又は連結部１２２の外側の面に固定することもできる。第１固定部材１４２、第２固定部材１４４は、布バンド又は金属バンドで構成することができる。第１固定部材１４２を布バンド又は金属バンドで構成する場合、第１固定部材１４２の一方の端部には、２つの固定用リング１４６、１４７が設けられる。第２固定部材１４４を布バンド又は金属バンドで構成する場合、第２固定部材１４４の一方の端部には、２つの固定用リング１４８、１４９が設けられる。或いは、第１固定部材１４２の１方の端部に面ファスナの雄部材を固定し、第１固定部材１４２の他方の端部に面ファスナの雌部材を固定することができる。或いは、第２固定部材１４４の一方の端部に面ファスナの雄部材を固定し、第２固定部材１４４の他方の端部に面ファスナの雌部材を固定することができる。或いは、第１固定部材１４２、第２固定部材１４４は、繊維を編んだ紐で構成することができる。第１固定部材１４２と、第２固定部材１４４は、上下に間隔を隔てて配置されるのが好ましい。第１固定部材１４２と、第２固定部材１４４は、同じ寸法形状に形成されるのが好ましい。固定部材の個数は１個であってもよいし、複数であってもよい。図示するように、固定部材の個数は２個であるのが好ましい。
【００１６】
第１閉鎖部１０８を閉鎖状態に保持するための第１閉鎖部材１５２が第１閉鎖部１０８の表面に固定される。第２閉鎖部１１８を閉鎖状態に保持するための第２閉鎖部材１５４が第２閉鎖部１１８の表面に固定される。第１閉鎖部材１５２、第２閉鎖部材１５４は、繊維を編んだ紐で構成することができる。或いは、第１閉鎖部材１５２、第２閉鎖部材１５４は、布バンド又は金属バンドで構成することができる。第１閉鎖部材１５２を布バンド又は金属バンドで構成する場合、第１閉鎖部材１５２の一方の端部に面ファスナの雄部材を固定し、第１閉鎖部材１５２の他方の端部に面ファスナの雌部材を固定することができる。同様に、第２閉鎖部材１５４を布バンド又は金属バンドで構成する場合、第２閉鎖部材１５４の一方の端部に面ファスナの雄部材を固定し、第２閉鎖部材１５４の他方の端部に面ファスナの雌部材を固定することができる。閉鎖部材の個数は１個であってもよいし、複数であってもよい。図示するように、閉鎖部材の個数は、１つの閉鎖部に対して１個であるのが好ましい。或いは、変形例として、第１閉鎖部１０８を閉鎖状態に保持するために、第１閉鎖部１０８にファスナ、スナップ、ホックなどの開口閉鎖用の部材を使用してもよい。同様に、第２閉鎖部１１８を閉鎖状態に保持するために、第２閉鎖部１１８にファスナ、スナップ、ホックなどの開口閉鎖用の部材を使用してもよい。或いは、更なる変形例として、第１閉鎖部１０８を閉鎖状態に保持するために、第１閉鎖部１０８にキャップ、蓋、栓などの開口閉鎖用の部材を取り付けるように構成してもよい。同様に、第２閉鎖部１１８を閉鎖状態に保持するために、第２閉鎖部１１８にキャップ、蓋、栓などの開口閉鎖用の部材を取り付けるように構成してもよい。第１閉鎖部材１５２と第２閉鎖部材１５４は、同じ寸法形状に形成されるのが好ましい。
【００１７】
（１・２）支柱支持具の使用方法
次に、本発明の支柱支持具１００の使用方法を説明する。図４を参照すると、支柱支持具１００を使用するとき、最初にユーザは、第１収容部１０４の中の中と、第２収容部１１４の中に流動物１５０を収容する。第１収容部１０４に収容する流動物１５０の重さは、第２収容部１１４に収容する流動物１５０の重さと同じであるのがよい。次に図５および図６を参照すると、ユーザは、第１閉鎖部１０８を折り曲げて第１閉鎖部１０８を閉鎖状態にして、第１開口部１０６を閉鎖する。この第１閉鎖部１０８の閉鎖状態を保持するために、ユーザは第１閉鎖部材１５２を用いて、すでに折り曲げた第１閉鎖部１０８の外周部を縛って止める。同様に、ユーザは、第２閉鎖部１１８を折り曲げて、第２閉鎖部１１８を閉鎖状態にして、第２開口部１１６を閉鎖する。この第２閉鎖部１１８の閉鎖状態を保持するために、ユーザは第２閉鎖部材１５４を用いて、すでに折り曲げた第２閉鎖部１１８の外周部を縛って止める。次に図７を参照すると、ユーザは、第１保持部材１３２を用いて、
支柱支持具１００の連結部１２２をテントの支柱１６０の下端部に縛って止める。同様に、ユーザは、第２保持部材１３４を用いて、支柱支持具１００の連結部１２２をテントの支柱１６０の下端部に縛って止める。
【００１８】
図８および図９を参照すると、ユーザは、第１固定部材１４２を用いて第１収容部１０４および第２収容部１１４をテントの支柱１６０に対して固定する。第１固定部材１４２の固定は、第１固定部材１４２の一方の端部付近を、第１固定部材１４２の他方の端部に設けられた固定用リング１４６と固定用リング１４７との間に通して固定する。同様に、ユーザは、第２固定部材１４４を用いて、流動物を収容した第１収容部１０４および第２収容部１１４をテントの支柱１６０に対して固定する。第２固定部材１４４の固定は、第２固定部材１４４の一方の端部付近を、第１固定部材１４２の他方の端部に設けられた固定用リング１４８と固定用リング１４９との間に通して固定する。本発明においては、支柱支持具１００を支柱１６０に固定したとき、流動物を収容した第１収容部１０４および第２収容部１１４の水平断面の形状が、支柱１６０を頂部とする頂角９０度〜１５０度の二等辺三角形の中に入るように構成される。この構成により、支柱支持具１００がテントの外部に出っ張る量を従来品に比べて少なくすることができる。
【００１９】
図１０を参照すると、ユーザは、天蓋１６６を有するテント１６４の２つの支柱１６０の間に横幕１７０を取り付けることができる。横幕１７０の上縁部１７０ｂ、左縁部１７０ｃ、右縁部１７０ｄには、横幕１７０を支柱１６０又は天蓋１６６に取付けるための横幕固定ひもを通す複数の穴１７０ｈが形成される。ユーザは、横幕固定ひも１７１を用いて、横幕１７０の上縁部１７０ｂを天蓋１６６に固定し、横幕１７０の左縁部１７０ｃを１つの支柱１６０に対して固定し、右縁部１７０ｄを他の支柱１６０に対して固定することができる。横幕１７０の左縁部１７０ｃの下端部、横幕１７０の右縁部１７０ｄの下端部は、横幕固定ひも１７１を用いて、支柱１６０に対して固定することもできるし、支柱支持具１００に対して固定することもできる。横幕１７０の下端部を支柱支持具１００に対して固定する場合、支柱支持具１００に固定用の支持ひも１０１ｂを設けることができる。横幕１７０の下端部を支柱支持具１００に対して固定する場合、固定用の穴１０１ｃを有するタグ部分１０１ｄを支柱支持具１００の下方部分に設けることもできる。２つの支柱支持具１００の間に横幕１７０を取り付けることにより、テント１６４の内部を外部から遮断することができる。すなわち、横幕１７０は、ついたてのような役割を果たすことができる。また、支柱支持具１００に横幕１７０を取り付けることにより、テント１６４の内部を隠すことができる。さらに、横幕１７０に広告を印刷したり、横幕１７０にポスターを貼ることもできる。すなわち、横幕１７０を広告媒体として利用することができる。さらに、２つの支柱支持具１００の間に横幕１７０を取り付けることにより、テント１６４の内部に風、雨、日差し、ほこりなどが入るのを効果的に遮ることができる。
【００２０】
本発明の支柱支持具１００は、支柱支持具１００がテント１６４の外部に出っ張る量が従来品に比べて非常に少ないので、テント１６４の本来にシルエットを崩さずに、２つの支柱支持具１００の間に横幕１７０を取り付けることができる。すなわち、本発明の支柱支持具１００を用いると、テント１６４の外部に出っ張る量は、連結部１２２の厚さと、第１固定部材１４２の厚さを加えた量だけであるので、テント１６４の外部に向かう余分な「出っ張り」や「しわ」の発生を抑えることができ、見た目を美しく保つことができる。したがって、本発明の支柱支持具１００を用いると、横幕１７０を２つの支柱支持具１００の間に取り付けたとき、横幕１７０のシルエットを限りなく水平に保つことができる。さらに、本発明の支柱支持具１００においては、支柱支持具の運搬労力と、保管スペースを最小限にすることができる。また、本発明の支柱支持具１００は、１本の支柱１６０に対して垂直方向に積み重ねて複数個数用いることができる。したがって、テント１６４を使用する場所の状況に合わせて、支柱支持具１００を使用する数を増減することが可能になり、作業者およびユーザの安全性を確保することができ、かつ、テント設置の作業労力の効率化を図ることができる。
【００２１】
（１・３）複数のテントの支持構造
次に、本発明の支柱支持具１００を用いて複数のテントの支持する構造を説明する。図１１を参照すると、水平断面形状が正方形又は長方形である２つのテント１８０、１９０が並んで配置される。第１テント１８０は、第１天蓋１８２と、４本の支柱１８４とを含む。第２テント１９０は、第１天蓋１９２と、４本の支柱１９４とを含む。それぞれの支柱１８４、１９４は、支柱支持具１００により支持される。支柱支持具１００の構造は、前述した支柱支持具１００の構造と同じである。第１固定部材１４２と第２固定部材１４４を用いて、２つのテント１８０、１９０において隣接する支柱支持具１００同士を固定することができる。この構成により、複数のテントを確実に支持することができる。この構成により、複数のテントの横揺れを防止することができる。
【００２２】
（２）第２の実施の形態
次に、本発明の支柱支持具の第２の実施の形態を説明する。以下の説明は、本発明の支柱支持具の第２の実施形態が本発明の支柱支持具の第１の実施形態と異なる点を主に述べる。したがって、以下に記載がない個所は、前述した本発明の支柱支持具の第１の実施形態についての説明をここに準用する。
【００２３】
（２・１）支柱支持具の構造
以下に、本発明の支柱支持具２００の構造を説明する。図１２および図１３を参照すると、支柱支持具２００は、テントの支柱の外周側面の一部を案内するためのウエイト部材を構成する第１ウエイト部２０２および第２ウエイト部２１２と、第１ウエイト部２０２と第２ウエイト部２１２とを連結する連結部２２２とを備える。第１ウエイト部２０２は、液体及び／又は固体を収容するために袋状に形成された第１収容部２０４と、第１収容部２０４の上端に設けられた第１開口部２０６と、第１開口部２０６を閉鎖するための第１閉鎖部２０８を含む。第２ウエイト部２１２は、液体及び／又は固体を収容するために袋状に形成された第２収容部２１４と、第２収容部２１４の上端に設けられた第２開口部２１６と、第２開口部２１６を閉鎖するための第２閉鎖部２１８を含む。
【００２４】
第１ウエイト部２０２、第２ウエイト部２１２は弾性変形しない材料で構成される。第１ウエイト部２０２、第２ウエイト部２１２は、例えば、プラスチック、金属で構成されるのが好ましい。連結部２２２は、弾性変形可能な材料で構成されることが必須である。連結部２２２は、例えば、ナイロン、麻布、帆布、パラシュート布などの繊維で構成してもよいし、或いは、弾性変形可能なプラスチックシート材料で構成してもよい。第１ウエイト部２０２、第２ウエイト部２１２は上下方向に縦長形状に形成されるのが好ましい。支柱支持具２００の連結部２２２をテントの支柱に対して保持するための第１保持部材２３２、第２保持部材２３４が連結部２２２の裏面に固定される。支柱支持具２００の第１ウエイト部２０２および第２ウエイト部２１２をテントの支柱に対して固定するための第１固定部材２４２、第２固定部材２４４が連結部２２２の裏面に固定される。第１固定部材２４２の一方の端部には、２つの固定用リング２４６、２４７が設けられる。第２固定部材２４４の一方の端部には、２つの固定用リング２４８、２４９が設けられる。
【００２５】
（２・２）支柱支持具の使用方法
次に、本発明の支柱支持具２００の使用方法を説明する。図１４を参照すると、支柱支持具２００を使用するとき、最初にユーザは、第１収容部２０４および第２収容部２１４の中に流動物を収容する。次に、ユーザは第１閉鎖部２０８を閉鎖状態にして、第１開口部２０６を閉鎖する。同様に、ユーザは第２閉鎖部２１８を閉鎖状態にして、第２開口部２１６を閉鎖する。次に、ユーザは、第１保持部材２３２を用いて支柱支持具２００の連結部２２２をテントの支柱２６０の下端部に縛って止める。同様に、ユーザは、第２保持部材２３４を用いて、支柱支持具２００の連結部２２２をテントの支柱２６０の下端部に縛って止める。次に、ユーザは、第１固定部材２４２を用いて第１収容部２０４および第２収容部２１４をテントの支柱２６０に対して固定する。第１固定部材２４２の固定は、第１固定部材２４２の一方の端部付近を、第１固定部材２４２の他方の端部に設けられた固定用リング２４６と固定用リング２４７との間に通して固定する。同様に、ユーザは、第２固定部材２４４を用いて第１収容部２０４および第２収容部２１４をテントの支柱２６０に対して固定する。
【００２６】
第２固定部材２４４の固定は、第２固定部材２４４の一方の端部付近を、第１固定部材２４２の他方の端部に設けられた固定用リング２４８と固定用リング２４９との間に通して固定する。本発明においては、支柱支持具２００を支柱２６０に固定したとき、流動物を収容した第１収容部２０４および第２収容部２１４の水平断面の形状が、支柱２６０を頂部とする頂角９０度の直角二等辺三角形の中に入ることができるように構成される。この構成により、支柱支持具２００がテントの外部に出っ張る量を従来品に比べて少なくすることができる。なお、本発明においては、支柱支持具２００を支柱２６０に固定したとき、第１収容部２０４および第２収容部２１４の水平断面の形状が、支柱２６０を頂部とする頂角が実質的に１５０度の二等辺三角形の中に入ることができるように構成されるのがよい。また、本発明においては、支柱支持具２００を支柱２６０に固定したとき、流動物を収容した第１収容部２０４および第２収容部２１４の水平断面の形状が、支柱２６０を頂部とする頂角が実質的に１２０度の二等辺三角形の中に入ることができるように構成することもできる。さらに、本発明においては、支柱支持具２００を支柱２６０に固定したとき、流動物を収容した第１収容部２０４および第２収容部２１４の水平断面の形状が、支柱２６０を頂部とする頂角が実質的に９０度の直角二等辺三角形の中に入ることができるように構成することもできる。したがって、本発明においては、支柱支持具２００を支柱２６０に固定したとき、流動物を収容した第１収容部２０４および第２収容部２１４の水平断面の形状が、支柱２６０を頂部とする頂角が９０度〜１５０度の二等辺三角形の中に入ることができるように構成するのがよい。また、本発明の支柱支持具１００、２００は、いずれの実施形態に示す構造を用いる場合においても、図１１に示すような設置方向（図１５に仮想線で示す）ではなく、図１４に支柱支持具２００ｘとして示すように、支柱２６０に対して水平に１８０度向きを変えて設置することができる。更に、本発明の支柱支持具１００、２００は、いずれの実施形態に示す構造を用いる場合においても、図１１或いは図１４に示すような設置方向だけでなく、支柱２６０に対して水平に任意の角度、取付けの向きを変えて設置することもできる。
【００２７】
（３）第３の実施の形態
次に、本発明の第３の実施の形態を説明する。本発明の第３の実施は、本発明の支柱支持具の第１の実施形態、又は、本発明の支柱支持具の第２の実施形態を利用したテントである。以下の説明は、本発明の支柱支持具の第３の実施形態が、本発明の支柱支持具の第１の実施形態と異なる点、本発明の支柱支持具の第２の実施形態と異なる点を主に述べる。したがって、以下に記載がない個所は、前述した本発明の支柱支持具の第１の実施形態についての説明、および、本発明の支柱支持具の第２の実施形態についての説明をここに準用する。
【００２８】
以下に、本発明の支柱支持具１００を用いたテントの構造を説明する。図１１を参照すると、水平断面形状が正方形又は長方形である２つのテント１８０およびテント１９０が図示されている。第１テント１８０は、第１天蓋１８２と、４本の支柱１８４とを含む。第２テント１９０は、第１天蓋１９２と、４本の支柱１９４とを含む。それぞれの支柱１８４、１９４は、支柱支持具１００により支持される。支柱支持具１００の構造は、前述した支柱支持具１００の構造と同じである。本発明のテント１８０およびテント１９０においては、支柱支持具１００を支柱１９４に固定したとき、流動物を収容した第１収容部１０４および第２収容部１１４の水平断面の形状が、支柱１９４を頂部とする頂角が１５０度の二等辺三角形の中に入ることができるように構成することができる。この構成により、支柱安定具がテントの脚（支柱）から出っ張る量を少なくすることができるので、テントの２つの脚（支柱）の間における横幕のひもの取付け距離が長くなるおそれは小さい。したがって、本発明の支柱支持具を用いると、横幕の最下部の角に配置されたひもを用いて、横幕の下部をたやすくテントの支柱に取り付けることができる。
【００２９】
さらに、本発明においては、支柱支持具１００を支柱１９４に固定したとき、流動物を収容した第１収容部１０４および第２収容部１１４の水平断面が、支柱１９４を頂部とする頂角が１２０度である二等辺三角形の中に入ることができるように構成することもできる。この構成により、支柱安定具がテントの脚（支柱）から出っ張る量を一層少なくすることができるので、テントの２つの脚（支柱）の間における横幕のひもの取付け距離が長くなるおそれは小さい。したがって、本発明の支柱支持具を用いると、横幕の最下部の角に配置されたひもを用いて、横幕の下部を一層たやすくテントの支柱に取り付けることができる。
さらに、本発明においては、支柱支持具１００を支柱１９４に固定したとき、流動物を収容した第１収容部１０４および第２収容部１１４の水平断面の形状が、支柱１９４を頂部とする頂角が９０度である直角二等辺三角形の中に入ることができるように構成することもできる。この構成により、支柱安定具がテントの脚（支柱）から出っ張る量を極めて少なくすることができるので、テントの２つの脚（支柱）の間における横幕のひもの取付け距離が長くなるおそれは小さい。したがって、本発明の支柱支持具を用いると、横幕の最下部の角に配置されたひもを用いて、横幕の下部を非常にたやすくテントの支柱に取り付けることができる。
【００３０】
以上説明したように、本発明においては、支柱支持具１００を支柱１９４に固定したとき、流動物を収容した第１収容部１０４および流動物を収容した第２収容部１１４の水平断面の形状が、支柱１９４を頂部とする頂角が９０度〜１５０度の範囲にある二等辺三角形の中に入ることができるように構成するのが好ましい。
さらに、本発明においては、支柱支持具１００を支柱１８４、１９４に固定したとき、それぞれの支柱支持具１００の連結部１２２の内面の一部と、流動物を収容した第１収容部１０４の連結部１２２に隣接した部分と、流動物を収容した第２収容部１１４の連結部１２２に隣接した部分とにより形成された領域に、支柱１８４、１９４を配置することができるようになっており、流動物を収容した第１収容部１０４の他の部分と、流動物を収容した第２収容部１１４の他の部分が密着するように構成するのが好ましい。この構成により、テントの支柱を保持した後、横幕を取り付けることができ、しかも、横幕のシルエットを水平に近い状態に保つことができる。
【００３１】
次に、図１５を参照すると、本発明のテント２５４は、天蓋２５２と、４本の支柱２６０を含む。支柱支持具は、いずれの実施形態に示す構造を用いる場合においても、図１１に示すような設置方向（図１５に仮想線で示す）ではなく、図１５に支柱支持具２００ｘとして示すように、支柱２６０に対して水平に１８０度向きを変えて設置することができる。支柱支持具２００ｘの寸法形状は、前述した支柱支持具２００の寸法形状と同じである。すなわち、この構成では、支柱支持具２００ｘを支柱２６０に固定したとき、支柱支持具２００ｘの流動物を収容した第１収容部２０４および流動物を収容した第２収容部２１４は、天蓋２５２を水平面に投影した形状の外側に位置するようになっている。すなわち、支柱支持具２００ｘを支柱２６０に固定したとき、流動物を収容した第１収容部２０４および流動物を収容した第２収容部２１４は、テントの天蓋２５２の平面形状の外側に位置することができるようになっている。このように支柱支持具２００ｘを設置することによって、テント２５４の内部の有効な使用可能面積を１００％に近づけることが可能になる。したがって、本発明の支柱支持具を用いることにより、テントの内部空間の活用効率を最大限高めることができる。
【産業上の利用可能性】
【００３２】
本発明の支柱支持具は、テントの支柱を確実に保持することができる。また、本発明の支柱支持具は、テントの支柱を保持した後、横幕を取り付けることができ横幕のシルエットを水平に近い状態に保つことができる。また、本発明の支柱支持具は、保管・収納スペースを極力無駄にしない形状であり、運搬も楽である。さらに、本発明のテントは、テントの内部空間の活用効率を最大限高めることができるように構成されている。
本発明について幾つかの好ましい実施形態を参照して説明したけれども、それらの実施形態は本発明を限定するものとして解釈すべきではない。当業者であれば、上記の実施形態の代替例や修正例をたやすく考え出すことができるであろうけれども、それらは、特許請求の範囲の各項により定められる本発明の範囲に入るものである。
【図面の簡単な説明】
【００３３】
【図１】図１は、本発明の支柱支持具の第１の実施の形態において、使用前の状態における支柱支持具を示す正面図である。
【図２】図２は、本発明の支柱支持具の第１の実施の形態において、使用前の状態における支柱支持具を示す背面図である。
【図３】図３は、本発明の支柱支持具の第１の実施の形態において、使用前の状態における支柱支持具を示す上面図である。
【図４】図４は、本発明の支柱支持具の第１の実施の形態において、収容部に砂を充填した状態における支柱支持具を示す上面図である。
【図５】図５は、本発明の支柱支持具の第１の実施の形態において、収容部に砂を充填し、閉鎖部を閉じた状態における支柱支持具を示す正面側から見た斜視図である。
【図６】図６は、本発明の支柱支持具の第１の実施の形態において、収容部に砂を充填し、閉鎖部を閉じた状態における支柱支持具を示す背面側から見た斜視図である。
【図７】図７は、本発明の支柱支持具の第１の実施の形態において、使用状態における支柱支持具をテントの支柱に取り付けた状態を示す斜視図である。
【図８】図８は、本発明の支柱支持具の第１の実施の形態において、使用状態における支柱支持具をテントの支柱に取り付け、止め部材により固定した状態を示す背面側から見た斜視図である。
【図９】図９は、本発明の支柱支持具の第１の実施の形態において、使用状態における支柱支持具をテントの支柱に取り付け、止め部材により固定した状態を示す正面側から見た斜視図である。
【図１０】図１０は、本発明の支柱支持具の第１の実施の形態において、支柱支持具により支柱を支持し、さらに、２本の支柱の間に横断幕を取りつけた状態を示す斜視図である。
【図１１】図１１は、本発明の支柱支持具の第１の実施の形態において、２つテントを８個の支柱支持具により支持している状態を示す上面図である。
【図１２】図１２は、本発明の支柱支持具の第２の実施の形態において、使用前の状態における支柱支持具を示す斜視図である。
【図１３】図１３は、本発明の支柱支持具の第２の実施の形態において、使用前の状態における支柱支持具を示す上面図である。
【図１４】図１４は、本発明の支柱支持具の第２の実施の形態において、支柱支持具により支柱を支持している状態を示す概略上面図である。
【図１５】図１５は、本発明の支柱支持具の第２の実施の形態において、支柱支持具をテントの支柱に対して水平に１８０度向きを変えて設置した状態を示す概略上面図である。
【符号の説明】
【００３４】
１００  支柱支持具
１０２  第１ウエイト部
１０４  第１収容部
１０６  第１開口部
１０８  第１閉鎖部
１１２  第２ウエイト部
１１４  第２収容部
１１６  第２開口部
１１８  第２閉鎖部
１２２  連結部
１３２  第１保持部材
１３４  第２保持部材
１４２  第１固定部材
１４４  第２固定部材
１４６〜１４９  固定用リング
１５２  第１閉鎖部材
１５４  第２閉鎖部材
【図１】
2005180024.tif 000003
【図２】
2005180024.tif 000004
【図３】
2005180024.tif 000005
【図４】
2005180024.tif 000006
【図５】
2005180024.tif 000007
【図６】
2005180024.tif 000008
【図７】
2005180024.tif 000009
【図８】
2005180024.tif 000010
【図９】
2005180024.tif 000011
【図１０】
2005180024.tif 000012
【図１１】
2005180024.tif 000013
【図１２】
2005180024.tif 000014
【図１３】
2005180024.tif 000015
【図１４】
2005180024.tif 000016
【図１５】
2005180024.tif 000017